(57)【特許請求の範囲】
【請求項１】
導体を収納し、相互の突合箇所に於ける側面上部に側方への突出面が形成されているハウジングと、該突合箇所に於ける該ハウジングの外側面に締着されている継ぎ板と、該継ぎ板の該導体長さ方向両端部に外方から固着されているカバー部材とを有し、該継ぎ板と該カバー部材間に空間が形成されていると共に、該ハウジングの外側面と該継ぎ板の締着箇所が該空間内に位置し、該空間の上方が該突出面で被覆されていることを特徴とするバスダクト接続装置。
【請求項２】
前記継ぎ板と前記カバー部材の固着箇所が前記ハウジングの外側面から離れていることを特徴とする請求項１記載のバスダクト接続装置。
【請求項３】
前記カバー部材の導体長さ方向両端部に内方へ突出する段差領域が形成され、該段差領域で前記継ぎ板の導体長さ方向両端部が被覆されていることを特徴とする請求項１又は２記載のバスダクト接続装置。
【請求項４】
前記ハウジングの突合箇所の上方に上板が前記突出面を被覆して載置されていることを特徴とする請求項１、２又は３記載のバスダクト接続装置。
【請求項５】
前記上板が断面略へ字形に形成されていることを特徴とする請求項１、２、３又は４記載のバスダクト接続装置。
【発明の詳細な説明】
【０００１】
【発明の属する技術分野】
本発明は、オフィスビル等で電気幹線路を構成するバスダクト接続装置に係り、特に屋外に設置される防水仕様のバスダクト接続装置に関する。
【０００２】
【従来の技術】
従来、電気幹線路を構成するバスダクト接続装置として、ハウジングを突き合わせ、この突き合わせ部の側板に継ぎ板を添わせてビス或いはボルトで取り付けることで接続し、上下方向をカバーで覆ってなるものがあり、例えば実公昭４３−１２５５号に開示されている。
【０００３】
しかし、前記バスダクト接続装置はハウジングを突き合わせて接続する方式によって容易に接続作業を行える利点を有するが、屋外など雨にさらされる場所に設置する場合の対策がなされておらず、雨水等の水分が側板と継ぎ板とを締着する締着具を伝わってハウジング内に侵入してしまうという不具合を生じていた。そのため、前記不具合を解消するために、下記のような防水仕様のバスダクト接続装置が提案されている。
【０００４】
例えば実公昭３９−５９３０号には、断面コ字形に折り曲げた外被の両側板間に両端に側板を有するコ字形の底蓋を嵌着し、外被と底蓋との両側板間にパッキングを介在させて両側板をビス或いはボルトにより固定し、接続部において外被の端部にフランジを設け、接続すべきダクトのフランジ間にパッキングを介在させて両フランジをビス或いはボルトで固定連結してなるものが開示されている。
【０００５】
また、実開昭５５−１１７１２８号には、防水カバーを被覆された筐体から突出したバスダクト導体をバスダクト接続筐体内で接続するもので、前記防水カバーの接続端部に水切フランジを設けると共に、接続部防水カバーの両端部に断面コ字状の水切フランジカバー部を形成し、水切フランジカバー部が水切フランジを包囲する状態で前記接続部防水カバーをバスダクト接続筐体に被せてなるものが開示されている。
【０００６】
また、特開平５−１６１２３６号には、導体を重ね合わせて締着具で一括緊締することによってバスダクトを接続する絶縁バスダクト接続部に於いて、締着具の挿通孔付近にＯリングを介在して、締着具周りに防水機能を持たせたものが開示されている。
【０００７】
【発明が解決しようとする課題】
ところが、実公昭３９−５９３０号によるバスダクト接続装置は、バスダクト自体及びバスダクト接続部毎にパッキングを介在する必要があるので、バスダクト接続作業が煩雑になると共に高価なものとなる。また、パッキングを使用していることから、その劣化によって防水効果を有する期間が短く、パッキングの交換が必要になるという問題を生じていた。
【０００８】
また、実開昭５５−１１７１２８号によるバスダクト接続装置は、バスダクトのハウジング以外に更に防水カバーや接続部防水カバーを被覆するため、組み立て作業及び接続作業が煩雑になると共に高価なものとなる。更に防水カバーや接続部防水カバーを全線に亘って被覆しているため、必要以上に大型化されることになる。
【０００９】
また、特開平５−１６１２３６号によるバスダクト接続装置は、締着具挿通孔付近にＯリングを介在する必要があることから、接続作業が煩雑になると共に高価なものになるという問題を生じていた。
【００１０】
本発明は上記問題点に鑑みなされたものであって、バスダクトの組立作業及び接続作業が容易で且つ安価であり、優れた防水機能を発揮することができるバスダクト接続装置を提供することを目的とする。
【００１１】
【課題を解決するための手段】
本発明のバスダクト接続装置は、導体を収納し、相互の突合箇所に於ける側面上部に側方への突出面が形成されているハウジングと、該突合箇所に於ける該ハウジングの外側面に締着されている継ぎ板と、該継ぎ板の該導体長さ方向両端部に外方から固着されているカバー部材とを有し、該継ぎ板と該カバー部材間に空間が形成されていると共に、該ハウジングの外側面と該継ぎ板の締着箇所が該空間内に位置し、該空間の上方が該突出面で被覆されていることを特徴とする。
【００１２】
さらに本発明のバスダクト接続装置は、前記継ぎ板と前記カバー部材の固着箇所が前記ハウジングの外側面から離れていることを特徴とする。
【００１３】
例えば前記継ぎ板である側面板用継ぎ板には、導体長さ方向両端部に第１屈曲部で外方に屈曲する第１屈曲片と、第１屈曲片から第２屈曲部で更に導体長さ方向に互いに離反するように屈曲する第２屈曲片とが形成され、前記カバー部材は側面板用継ぎ板の第２屈曲片と締着具で緊締されて取り付けられ、カバー部材の内面と側面板用継ぎ板の第１屈曲部間の外面との間に空間が形成される。そして、第１屈曲部間の空間から側面板用継ぎ板とハウジング側面とが締着具で緊締され、バスダクトのハウジング側面相互が接続される。
【００１４】
また、例えば前記突出面は、ハウジングの側面上端縁を外方に第５屈曲部で屈曲する第５屈曲片によるなるものとし、更には第５屈曲片の端縁を更に第６屈曲部で下方に屈曲する第６屈曲片を形成すると好適である。
【００１５】
さらに上記バスダクト接続装置は、前記カバー部材の導体長さ方向両端部に内方へ突出する段差領域が形成され、該段差領域で前記継ぎ板の導体長さ方向両端部が被覆されていることを特徴とする。
【００１６】
例えば前記カバー部材の導体長さ方向両端部に、第３屈曲部で内方に屈曲する第３屈曲片を形成し、第３屈曲片の端縁とハウジング側面が接触する構成とすることで継ぎ板を被覆する。或いは、前記カバー部材の導体長さ方向の両端部に、第３屈曲部で内方に屈曲する第３屈曲片と、第３屈曲片の端部を更に第４屈曲部で導体長さ方向に互いに離反するように屈曲する第４屈曲片とを形成し、第４屈曲片がハウジング側面と接触する構成とする。
【００１７】
さらに上記バスダクト接続装置は、前記ハウジングの突合箇所の上方に上板が前記突出面を被覆して載置されていることを特徴とする。そして、例えば上面板等の両端縁に第７屈曲部で下方に屈曲する第７屈曲片を形成し、前記ハウジングの突出面から下方に屈曲した第６屈曲片と第７屈曲片とを締着具で緊締し、上面板をハウジングに接続する。加えて上記バスダクト接続装置では、前記上板を断面略へ字形に形成すると好適である。
【００１８】
さらに上記バスダクト接続装置では、相互の突合箇所に於けるハウジング底面に底面板用継ぎ板を添わせ、底面板用継ぎ板をハウジング底面に締着具を緊締して締着し、バスダクトのハウジング底面を相互に接続すると好適である。前記底面板用継ぎ板は、側方に位置する前記カバー部材と締着具で緊締可能に構成すると一層良好である。
【００１９】
【作用】
本発明のバスダクト接続装置は、継ぎ板とカバー部材間に形成される空間にハウジングの外側面と継ぎ板の締着箇所が位置すると共に前記空間の上方がハウジングの突出面で覆われる構成であるため、ハウジング内に水分が侵入することがなくなる。例えば最外側に位置するカバー部材を締着するための締着具から伝わる水分は第２屈曲片の内方面等まで侵入するが、第２屈曲片等がハウジング外側面と離れているため、ハウジング側面まで侵入することがない。そして、ハウジング内へ貫通して側面板用継ぎ板とハウジング側面とを締着する締着具は、上方を突出面により、外面をカバー部材により被覆されているため、水分は締着具を伝わってハウジング内に侵入することができなくなり、防水効果を向上することができる。
【００２０】
また、ハウジングの側面上端縁を外方に屈曲する第５屈曲片を形成し、第５屈曲片に突出面の役割を果たさせ、第５屈曲片内にカバー部材を収納する構成とすることで、別体に突出面を形成する必要がなく、安価で、美的に優れた外観のバスダクト接続装置にすることができる。更には第５屈曲片の端縁を下方に屈曲する第６屈曲片を形成すると、前記空間に侵入する水分をより効果的に防ぐことが可能となる。
【００２１】
さらにカバー部材の形成された段差領域で継ぎ板の導体長さ方向両端部を被覆する構成、例えばカバー部材の両端部に内方に屈曲する第３屈曲片を形成し、第３屈曲片の端縁がハウジングの側面と接するように構成することで、側面板用継ぎ板とバスダクト側面との接触面も段差領域である第３屈曲片により被覆することができ、より防水効果に優れたものとすることができる。更には第３屈曲片の端縁に形成した第４屈曲片がハウジング側面と接する構成とすることで、より一層防水効果を向上することができる。
【００２２】
さらにハウジングの突合箇所の上方に上板を前記突出面を被覆して載置する構成、例えば上面板等の両端縁に下方に屈曲する第７屈曲片を形成して、ハウジングの第６屈曲片と第７屈曲片とを締着具で緊締し、上面板をハウジングに接続する構成とすることで、前記締着具を伝わる水分は第６屈曲片と第７屈曲片間及び第６屈曲片の内面までは侵入するが、そのままハウジングの外方（下方）に落下し、ハウジング内に侵入することがない。加えて上面板を断面略へ字形に形成することで、上面板上に水分（積雪も含む）が貯まることがなく、水分の重さにより上面板が変形する等を未然に防止できる。
【００２３】
さらに相互の突合箇所に於けるハウジング底面に添わせた底面板用継ぎ板をハウジング底面に締着具で締着し、ハウジング底面を相互に接続することで、地面からの跳ね返りによる雨水等の侵入を防止することが可能となると共に、ハウジングの接続強度を増すことができる。更には底面板用継ぎ板を側方に位置するカバー部材と締着具で緊締可能に構成すると、カバー部材、底面板用継ぎ板及び側面板用継ぎ板が全て締着具を介して一体化され、より強固にバスダクトのハウジングの接続を行うことができる。
【００２４】
【発明の実施の形態】
次に本発明のバスダクト接続装置を図面に於ける具体的な実施形態に基づいて説明する。図１から図１０までは第１実施形態のバスダクト接続装置を示し、図１は第一実施形態のバスダクト接続装置を示す平面図、図２は図１の側面図、図３はそのバスダクトの縦断面図、図４はそのバスダクト接続部の縦断面図、図５は図４の分解説明図、図６はハウジングの斜視図、図７は図６の分解斜視図、図８はカバー部材の締着箇所の拡大正面図、図９は側面板用及び底面板用継ぎ板とカバー部材の締着状態の斜視説明図、図１０はハウジング側面板の締着状態を示す拡大正面図である。
【００２５】
本実施形態のバスダクト接続装置は、図１及び図２に示すように、接続するバスダクト１０・１０を相互に対向して突き合わせ、これをバスダクト接続部２０を介して接続している。
【００２６】
バスダクト１０は、図１乃至図３と図６及び図７に示すように、側面板１１１、底面板１１２、上面板１１３からなるハウジング１１内に並設された三線の導体１２を収納している。ハウジング１１内に形成或いは取り付けられている碍子支持枠１３は、碍子支持枠１３に適宜間隔毎に配設された碍子１４を支持し、各碍子１４はボルト１５で取り付けられた各導体１２を支持している。前記碍子支持枠１３はハウジング１１内に溶接接続する等適宜である。
【００２７】
ハウジング１１に於いて、側面板１１１と底面板１１２は一体形成され、導体長さ方向で底面板１１２の略中央に於ける中心線で２分割されている。前記２分割箇所にはハウジング１１の内方向（上方向）にそれぞれ屈曲片１１４が設けられ、屈曲片１１４・１１４間はボルト、ナット等の締着具１１５で緊締して締着され、断面略Ｕ字形のハウジング構成部材が形成されている。前記屈曲片１１４・１１４間にはパッキンを挟んで締着具１１５により締着すると、下方向からの水分の侵入を未然に防止することが可能となって好適である。
【００２８】
側面板１１１の上端縁には、図８に示すように、第５屈曲部１１１ａにより外方で略水平方向に屈曲する第５屈曲片１１１ｂが形成され、さらに第５屈曲片１１１ｂの端縁には第６屈曲部１１１ｃにより下方向に屈曲する第６屈曲片１１１ｄが形成されており、側面板１１１と底面板１１２は断面略逆Ω字形をなしている。また上面板１１３の両端縁にも第７屈曲部１１３ａで下方に屈曲する第７屈曲片１１３ｂが形成され、図７に示すように導体長手方向の両端に上方凸部１１３ｃを有し、側面板１１１の上方に設けられた第６屈曲片１１１ｄと上面板１１３の第７屈曲片１１３ｂとがボルト、ナット等からなる締着具１１６で緊締され、ハウジング１１の全周が形成されている。
【００２９】
前記側面板１１１の第６屈曲片１１１ｄと上面板１１３の第７屈曲片１１３ｂとの締着具１１６による締着箇所は、ハウジング１１の側面板１１１より外方で、且つ側面板１１１の上端縁よりも下方向に位置するので、締着具１１６を伝わってくる水分は、ハウジング１１内に侵入することなく下方向に落下し、バスダクト１０の防水効果が向上する構成である。
【００３０】
また、バスダクト１０・１０を相互に接続するバスダクト接続部２０に於いては、図１及び図２、図４乃至図１０に示すように、導体１２・１２相互が例えば導体端部間に継ぎ導体を添わせた状態で締着具２１ａにより緊締されて接続されており、ハウジング１１・１１の端縁が相互に突き合わされている。
【００３１】
ハウジング１１の突き合わせ部分の側面板１１１には、側面板用継ぎ板２２を添わされている。側面板用継ぎ板２２には、導体長さ方向両端縁に第１屈曲部２２１により外方に屈曲された第１屈曲片２２２が形成され、第１屈曲片２２２の端縁には更に導体長さ方向に互いに離反するように第２屈曲部２２３で屈曲された第２屈曲片２２４が形成されている。即ち、ハウジング側面板１１１と第１屈曲部２２１・２２１間の継ぎ板２２は接触状態、第１屈曲片２２２はハウジング側面板１１１と略直交状態になると共に、第２屈曲片２２４はハウジング側面板１１１と離れた状態で平行に配置される構成である。
【００３２】
前記側面板用継ぎ板２２とハウジング側面板１１１は、ハウジング側面板１１１と接触している第１屈曲部２２１・２２１間に締着具２１ｂを緊締して締着され、ハウジング側面板１１・１１が相互に接続されている。さらに側面板用継ぎ板２２の外方からカバー部材２３が被覆されている。
【００３３】
カバー部材２３は側面板用継ぎ板２２と類似形状であり、平板の導体長さ方向両端縁には第３屈曲部２３１により内方に屈曲された第３屈曲片２３２が形成され、第３屈曲片２３２の端縁には更に導体長さ方向に互いに離反するように第４屈曲部２３３で屈曲された第４屈曲片２３４が形成されている。カバー部材２３は、側面板用継ぎ板２２の第２屈曲片２２４とカバー部材２３の第３屈曲部２３１・２３１間の平面とが接した状態で配設され、前記接触部分に於いて締着具２１ｃを緊締することにより取り付けられる。
【００３４】
カバー部材２３が取り付けられた状態では、図１０に示すように、第４屈曲片２３４とハウジング側面板１１１とが接触し、側面板用継ぎ板２２の第１屈曲部２２１・２２１間の平面とカバー部材２３の第３屈曲部２３１・２３１間の平面との間に空間部２４が形成され、側面板用継ぎ板２２をハウジング側面板１１１に締着した際の締着具２１ｂが空間部２４に収納される構成である。前記空間部２４の上方は、図８に示すように、ハウジング側面板１１１の上方に形成された第５屈曲片１１１ｂ及び第６屈曲片１１１ｄにより、空間部２４の最上端縁と第５屈曲片１１１ｂが接した状態で被覆され、上方から空間部２４内に水分が侵入できないように構成されている。
【００３５】
上記構成でハウジング側面板１１１を接続することにより、ハウジング側面板１１１を接続するための側面板用継ぎ板２２の締着箇所はカバー部材２３の第３屈曲部２３１・２３１間に収納されると共に、カバー部材２３と側面板用継ぎ板２２との締着箇所はハウジング側面板１１１との非接触箇所である側面板用継ぎ板２２の第２屈曲片２２４で締着される。即ち、ハウジング側面板１１１の締着箇所が収納されている空間部２４以外の場所でカバー部材２３が締着されているため、図１０に示すように最外側に存在するカバー部材２３の締着具２１ｃからつたわる水分は水分落下空間２８から下方に落下し、ハウジング１０内に侵入することがない。更に第４屈曲片２３４がハウジング１０の側面板１１１と接する構成により、ハウジング側面板１１１と側面板用継ぎ板２２間の接触面からの水分の侵入も未然に防止されている。
【００３６】
また、前記突き合わせ部分の上面は開放状態になるように構成され、図７に示すように、開放部分には上面板１１３・１１３間に両側方に第８屈曲片２５１とバスダクト１０の長手方向両端に上方凸部２５２が形成されている上面板用継ぎ板２５が嵌め込まれている。嵌め込まれた上面板用継ぎ板２５の更に上方から、上面板用継ぎ板２５よりも平面面積が大きく、両側方に第９屈曲片２６１と長手方向両端に接続すべきバスダクト１０・１０の上面板１１３・１１３の端縁まで覆う被覆部２６２を有する（上面板用）カバー部材２６を被覆する。そして、図８に示すように、（上面板用）カバー部材２６の第９屈曲片２６１は、上面板用継ぎ板２５の第８屈曲片２５１及び上面板１１３の第７屈曲片１１３ｂを介して側面板１１１の第６屈曲片１１１ｄに締着具１１６を緊締することにより締着され、ハウジング上面板１１３・１１３が接続されることになる。
【００３７】
前記突き合わせ部分の底面板１１２には底面板用継ぎ板２７が添わされ、ハウジング１１の底面板１１２に締着具を緊締して締着し、ハウジング底面板１１２・１１２相互が接続されている。底面板用継ぎ板２７は下方からの水分の侵入を防止するために、平面視略方形で下方が開口した箱型に形成されており、箱型の上面板２７１とハウジング底面板１１２とが適宜間隔に締着具で締着され、箱型の側面板２７２とカバー部材２３の下端とが締着具２１ｄで締着されている。
【００３８】
底面板用継ぎ板２７は、ハウジング底面板１１２の幅より多少広く、且つ導体長さ方向の幅はカバー部材２３の第３屈曲部２３１・２３１間と略同一長さで形成され、一方でカバー部材２３もハウジング側面板１１１の高さより多少高く形成されており、カバー部材２３の第３屈曲部２３１・２３１間に底面板用継ぎ板２７の端縁が嵌合され、前記嵌合部分に於いてカバー部材２３の外方から締着具２１ｄで緊締することにより取り付けられる。上記構成でカバー部材２３、側面板用継ぎ板２２、底面板用継ぎ板２７が強固に固定され、ハウジング１０及びハウジング接続部２０全体が側面、底面、上面で接続され、高い接続強度で強固に接続される。
【００３９】
次に本発明のバスダクト接続装置の他の実施形態について説明する。図１１は第二実施形態に於けるハウジング側面板の締着状態を示す拡大正面図で、カバー部材２３に第４屈曲片２３４が設けられていないものである。本実施形態のように第３屈曲片２３２の端縁に第４屈曲片２３４を有しない場合、第３屈曲片２３２の端縁とハウジング側面板１１１とが接するようにカバー部材２３が被覆される構成である。これにより、カバー部材２３の加工費及び材料費を軽減し、より安価なバスダクト接続装置を提供することが可能になる。
【００４０】
さらに本発明のバスダクト接続装置の別の実施形態について説明する。図１２は本発明の第三実施形態に於けるバスダクト接続部を示す縦断面図、図１３は図１２の分解説明図である。第三実施形態のバスダクト接続装置は、第一実施形態のバスダクト接続部２０の上面板用継ぎ板２５の上方凸部２５２の上端縁と上面板用カバー部材２６の断面を略へ字形で山型に形成している。なお図１２及び図１３はバスダクト接続部２０について図示したが、接続部２０以外のバスダクト１０の上面板１１３も同様に断面略へ字形に形成されている。
【００４１】
そして、上面板１１３の強度を増加するために、碍子支持枠１３の上端縁を略へ字形に形成し、バスダクト接続部２０以外の場所に設けている。また、図には省略したが、碍子支持枠１３の下端部略中央に、底面板１１２・１１２の屈曲片１１４・１１４同士を締着具１１５で緊締するためのコ字形の凹部を形成すると好適である。
【００４２】
上記構成により、積雪、雨水等が上面板１１３、（上面板用）カバー部材２６上等に貯まることがなくなって、重さによる変形を未然に防止することが可能となる。
【００４３】
以上、本発明のバスダクト１０及びバスダクト接続部２０についての実施形態について説明したが、本発明は、上記実施形態例に限定されるものではなく、次ぎのような拡張及び変形をすることが可能である。例えば上記実施形態例は、三線式のバスダクト１０について説明したが、これに限定されるものではなく、二線式或いは四線式以上のバスダクト１０であってもよい。
【００４４】
また、上記実施形態例は、各導体１２間を空気絶縁により絶縁するバスダクト１０について説明したが、これに限定されるものではなく、絶縁被覆導体を側面板及び上下面板により収納するバスダクトであっても本発明は適用可能である。
【００４５】
また、上記実施形態例は、側面板１１１と底面板１１２とを一体形成し、且つ底面の略中央で、導体長さ方向を中心に左右に２分割されたハウジング１０について説明したが、側面板と底面板を一体形成し、分割しない状態のハウジング、更に３分割以上するハウジング、更に側面板と底面板とを別体に形成するハウジングであってもよい。なお前記２分割にすることにより、分割なしのハウジングよりも折り曲げ加工が容易になると共に、３分割以上に分割したハウジングよりも組立作業が容易になる。
【００４６】
また、ハウジング１１の側面上方に形成された突出面である第５屈曲片１１１ｂは、必ずしもハウジング１１の側面板１１１に形成する必要はなく、例えば上面板１１３に突出面を形成し、この突出面によって空間部２４を被覆する構成であってもよく、更にはバスダクト１０の接続部２０にのみ突出面を形成することも含まれる。又碍子１４の形状、碍子支持枠１３の形状等は本実施形態例及び図面に限定されるものではない。
【００４７】
【発明の効果】
本発明のバスダクト接続装置は上記構成によって、パッキン等を不使用或いは殆ど使用せずに優れた防水効果を発揮する。そして、パッキンの劣化による交換作業を不要或いは極力低減し、接続部やバスダクト自体の寿命を延ばすことができることから、優れた防水効果を長期に亘って維持することが出来る効果を奏する。
【００４８】
また、殆どのバスダクトの組立及び接続をボルトやナットなど締着具によって行うことが可能で溶接等が不要であり、更に組立時及び接続時にパッキン等の高価で扱いづらい部品を使用する必要がなくなること等から、安価で且つバスダクトの組立作業及び接続作業が容易に行うことができる効果を奏する。
【図面の簡単な説明】
【図１】本発明の第一実施形態のバスダクト接続装置を示す平面図。
【図２】図１の側面図。
【図３】第一実施形態に於けるバスダクトを示す縦断面図。
【図４】第一実施形態に於けるバスダクト接続部を示す縦断面図。
【図５】図４の分解説明図。
【図６】第一実施形態に於けるバスダクトハウジングを示す斜視図。
【図７】図６の分解斜視図。
【図８】第一実施形態に於けるカバー部材の締着箇所を示す拡大正面図。
【図９】第一実施形態に於ける側面板用及び底面板用継ぎ板とカバー部材の締着状態を示す斜視説明図。
【図１０】第一実施形態に於けるハウジング側面板の締着状態を示す拡大正面図。
【図１１】本発明の第二実施形態に於けるハウジング側面板の締着状態を示す拡大正面図。
【図１２】本発明の第三実施形態に於けるバスダクト接続部を示す縦断面図。
【図１３】図１２の分解説明図。
【符号の説明】
１０ バスダクト
１１ ハウジング
１１１ 側面板
１１２ 底面板
１１３ 上面板
１２ 導体
２０ バスダクト接続部
２２ 側面板用継ぎ板
２３ カバー部材
２４ 空間部
２５ 上面板用継ぎ板
２６ 上面板用カバー部材
２７ 底面板用継ぎ板
【図１】
0004392932.tif 000002
【図２】
0004392932.tif 000003
【図３】
0004392932.tif 000004
【図４】
0004392932.tif 000005
【図５】
0004392932.tif 000006
【図６】
0004392932.tif 000007
【図７】
0004392932.tif 000008
【図８】
0004392932.tif 000009
【図９】
0004392932.tif 000010
【図１０】
0004392932.tif 000011
【図１１】
0004392932.tif 000012
【図１２】
0004392932.tif 000013
【図１３】
0004392932.tif 000014